(57)【特許請求の範囲】
【請求項１】
被掛止物に掛けるための掛止部と、該掛止部の下側にて互いに横方向反対向きに延設される開閉可能な２つのアームと、前記掛止部及び２つのアームを支持するための支持部材とを備え、前記２つのアームに衣類を懸吊するための衣類用ハンガにおいて、
前記２つのアームが開放した場合に、該２つのアームにおける近接する側の一端部に係合して前記２つのアームを係止する係合部を備え、
前記掛止部は、２つの脚部材における夫々の上端が同軸的に軸支されて開閉可能になしてあり、前記２つのアームの開放を操作するための操作具を下部に有し、
前記操作具は、前記支持部材により、前記２つの脚部材の両下端が該２つの脚部材の開閉方向に可動に支持され、
前記２つのアームは、前記支持部材における所定間隔を隔てた位置で、前記夫々の一端部近傍が、前記２つのアームが開閉方向へ回動可能に軸支され、
前記２つのアームは、前記操作具における前記２つの脚部材の閉塞方向への回動に従動して開放方向へ回動すべくなしてある
ことを特徴とする衣類用ハンガ。
【請求項２】
被掛止物に掛けるための掛止部と、該掛止部の下側にて互いに横方向反対向きに延設される開閉可能な２つのアームと、前記掛止部及び２つのアームを支持するための支持部材とを備え、前記２つのアームに衣類を懸吊するための衣類用ハンガにおいて、
前記支持部材は、所定間隔を隔てて設けられた２つの枢軸、該２つの枢軸の夫々の近傍から前記支持部材の略中心方向に延設された２つの案内溝、及び、前記２つのアームが開放した場合に、該２つのアームにおける近接する側の一端部に係合して前記２つのアームを係止すべく前記２つの枢軸間の略中心位置に設けられた係合部を有し、
前記２つのアームは、前記夫々の一端部近傍が、前記２つの枢軸により、前記２つアームが開閉方向へ回動可能に支持され、
前記掛止部は、２つの脚部材における夫々の上端が同軸的に軸支されて開閉可能になしてあり、前記２つのアームの開放を操作するための操作具を下部に有し、
前記操作具は、前記２つの案内溝に沿って、前記２つの脚部材の両下端が該２つの脚部材の開閉方向へ滑動可能に支持され、
前記操作具の両下端を前記２つの脚部材の閉塞方向へ滑動させた場合に、前記２つのアームは、前記枢軸により支持された位置から前記一端部側が前記両下端の夫々により押動されて開放方向へ回動すべくなしてある
ことを特徴とする衣類用ハンガ。
【請求項３】
前記係合部は、下方へ開口する略Ｕ字形状をなして外側へ付勢する弾性を有し、前記外側には突出した突部が形成され、
前記２つのアームの夫々の一端部は、前記突部に夫々係合すべくなしてある
ことを特徴とする請求項２に記載の衣類用ハンガ。
【発明の詳細な説明】
【０００１】
【発明の属する技術分野】
本発明は、衣類を干すために用いる衣類用ハンガ、特に、衣類を懸吊する一対のアームを開閉可能とし、衣類の懸吊及び取り外しが容易となる衣類用ハンガに関するものである。
【０００２】
【従来の技術】
衣類用ハンガは、ブラウス、シャツ等の衣類を、洗濯後の乾燥のために懸吊して干す場合、着用しないときにクローゼット内に収納する場合などに用いられている。ところで従来の衣類用ハンガは、物干し竿、物干しロープ等に掛けてぶら下げるための掛止部と、該掛止部の下方に取り付けられた一対のアームとからなり、前記掛止部及び一対のアームは一体成形されているのが一般的である。
【０００３】
【発明が解決しようとする課題】
ところで、特に丸首のシャツを従来の衣類用ハンガに懸吊する際は、前記シャツの首もとから衣類用ハンガのアームを挿入することが困難であり、無理にアームを挿入して懸吊した場合には前記シャツの首もとが広がってしまい、型くずれを起こしてしまう可能性がある。従って、シャツの首もとの開口が狭小である場合は、前記シャツの裾口から衣類用ハンガを通して懸吊させることを余儀なくされることもあった。また、シャツは一般的に着用頻度が比較的高く、洗濯の回数も多いことから、衣類用ハンガに懸吊する作業は煩瑣なものであった。
【０００４】
このような問題を解決すべく、特開平8-224157号，特開2000-210189 などにて一対のアームを開閉方向へ可動として閉じ合わせることができる衣類用ハンガが提案されている。提案されている衣類用ハンガは、何れも一対のアームを閉じ合わせることが可能であるが、一対のアームを閉じ合わせる操作、アームが閉じ合わされた状態の衣類用ハンガをシャツの首もとへ通した後に一対のアームを開放する操作のうち、両方又は一方の操作は両手で行う必要がある構成となっている。しかし、シャツを片手で所持して衣類用ハンガへ懸吊する作業、及び懸吊されたシャツを衣類用ハンガから取り外す作業を考慮した場合、前記操作は共に片手で行えることを要望され、これらを実現する衣類用ハンガは未だ提案されていない。
【０００５】
本発明は上述したような事情に鑑みてなされたものであり、掛止部と、開閉可能な２つのアームと、前記掛止部及び２つのアームを支持する支持部材とを備える衣類用ハンガにおいて、前記２つのアームが開放した場合に該２つのアームに係合して係止するための係合部を備え、前記掛止部は、２つの脚部材における夫々の上端が同軸的に軸支されて開閉可能になしてあり前記２つのアームの開放を操作するための操作具を下部に有し、前記２つのアームは、前記支持部材における所定間隔を隔てた位置で、互いに近接する夫々の一端部近傍が回動可能に支持され、前記２つのアームは、前記操作具における２つの脚部材の夫々の下端が互いに接近する際に従動して開放方向へ回動すべくなしてある。
【０００６】
従って、前記２つのアームが閉じ合わされている状態でシャツの首もとへ両アームを挿入した後、操作具を片手で掴み、夫々の下端を接近させるべく握ることにより、前記２つのアームを従動させて開放させることができ、更に、係合部に係合することによりアームの回動を係止することができるため、片手での操作具の操作によってアームを開放させてシャツを容易に懸吊することが可能である衣類用ハンガを提供することを目的とする。
【０００７】
また、前記支持部材は、互いに所定間隔を隔てて設けられた２つの枢軸を有し、前記２つのアームの一端部近傍は前記枢軸により回動可能に夫々支持され、前記支持部材は更に、前記２つの枢軸近傍から前記支持部材の略中心方向へ延設された２つの案内溝、及び、前記２つのアームが開放された場合に夫々の一端部が係合して回動を係止するための係合部を有し、前記２つの脚部材の両下端は夫々前記２つの案内溝に沿って滑動可能であり、互いに接近する方向へ滑動した場合、前記２つのアームにおける前記枢軸により支持される位置から夫々一端部側が、前記操作具の夫々の下端により押動され、前記２つのアームは開放方向へ回動すべくなしてある。
【０００８】
従って、前記操作具の２つの下端を接近する方向へ滑動させた場合に、円滑であり確実に前記２つのアームを従動させて開放させることができる衣類用ハンガを提供することを目的とする。
【０００９】
更に、前記係合部は、下方へ開口する略Ｕ字形状をなして外側へ付勢する弾性を有し、前記外側には突出する突部が形成され、前記２つのアームの夫々の一端部は、前記突部に夫々係合すべくなしてある。
【００１０】
従って、開放方向へ回動した前記２つのアームの夫々の一端部を、前記係合部の突部に係合させて回動を係止することができ、更に、略Ｕ字形状をなす係合部の開口端を弾性力に抗って狭めることにより、前記２つのアームの夫々の一端部を前記係合部から開放でき、前記２つのアームを閉じ合わせる方向へ回動させることができ、前記係合部を片手で握って操作するだけでアームを閉じさせて容易にシャツから取り出すことができる衣類用ハンガを提供することを目的とする。
【００１１】
【課題を解決するための手段】
第１発明に係る衣類用ハンガは、被掛止物に掛けるための掛止部と、該掛止部の下側にて互いに横方向反対向きに延設される開閉可能な２つのアームと、前記掛止部及び２つのアームを支持するための支持部材とを備え、前記２つのアームに衣類を懸吊するための衣類用ハンガにおいて、前記２つのアームが開放した場合に、該２つのアームにおける近接する側の一端部に係合して前記２つのアームを係止する係合部を備え、前記掛止部は、２つの脚部材における夫々の上端が同軸的に軸支されて開閉可能になしてあり、前記２つのアームの開放を操作するための操作具を下部に有し、前記操作具は、前記支持部材により、前記２つの脚部材の両下端が該２つの脚部材の開閉方向に可動に支持され、前記２つのアームは、前記支持部材における所定間隔を隔てた位置で、前記夫々の一端部近傍が、前記２つのアームが開閉方向へ回動可能に軸支され、前記２つのアームは、前記操作具における前記２つの脚部材の閉塞方向への回動に従動して開放方向へ回動すべくなしてあることを特徴とする。
【００１２】
従って、第１発明に係る衣類用ハンガによる場合は、片手で握って操作具における２つの脚部材夫々の下端を接近させるだけで、これに従動して開放方向へ２つのアームを回動させ、係合部に前記２つのアームの夫々の一端部が係合して回動が係止されるため、衣類の首もとから両アームを挿入した後、片手での操作によってアームを開放させて前記衣類を容易に懸吊することが可能である衣類用ハンガを実現することができる。
【００１３】
第２発明に係る衣類用ハンガは、被掛止物に掛けるための掛止部と、該掛止部の下側にて互いに横方向反対向きに延設される開閉可能な２つのアームと、前記掛止部及び２つのアームを支持するための支持部材とを備え、前記２つのアームに衣類を懸吊するための衣類用ハンガにおいて、前記支持部材は、所定間隔を隔てて設けられた２つの枢軸、該２つの枢軸の夫々の近傍から前記支持部材の略中心方向に延設された２つの案内溝、及び、前記２つのアームが開放した場合に、該２つのアームにおける近接する側の一端部に係合して前記２つのアームを係止すべく前記２つの枢軸間の略中心位置に設けられた係合部を有し、前記２つのアームは、前記夫々の一端部近傍が、前記２つの枢軸により、前記２つアームが開閉方向へ回動可能に支持され、前記掛止部は、２つの脚部材における夫々の上端が同軸的に軸支されて開閉可能になしてあり、前記２つのアームの開放を操作するための操作具を下部に有し、前記操作具は、前記２つの案内溝に沿って、前記２つの脚部材の両下端が該２つの脚部材の開閉方向へ滑動可能に支持され、前記操作具の両下端を前記２つの脚部材の閉塞方向へ滑動させた場合に、前記２つのアームは、前記枢軸により支持された位置から前記一端部側が前記両下端の夫々により押動されて開放方向へ回動すべくなしてあることを特徴とする。
【００１４】
従って、第２発明に係る衣類用ハンガによる場合は、支持部材に設けられた２つの案内溝に沿って操作具における２つの脚部材夫々の下端が夫々滑動可能に支持され、前記両下端を夫々滑動させた場合に、前記両下端に前記一対のアームの夫々の一端部が押動されて夫々のアームが開放方向へ回動することにより、前記２つの脚部材夫々の下端を互いに接近させる動作に対し、円滑であり確実に前記２つのアームを従動させて開放させることができる衣類用ハンガを実現することができる。
【００１５】
第３発明に係る衣類用ハンガは、第２発明に係る衣類用ハンガにおいて、前記係合部は、下方へ開口する略Ｕ字形状をなして外側へ付勢する弾性を有し、前記外側には突出した突部が形成され、前記２つのアームの夫々の一端部は、前記突部に夫々係合すべくなしてあることを特徴とする。
【００１６】
従って、第３発明に係る衣類用ハンガによる場合は、開放方向へ回動した前記２つのアームの夫々の一端部を、前記係合部の突部に係合させて回動を係止することができ、更に、略Ｕ字形状をなす係合部の開口端を弾性力に抗って狭めることにより、前記２つのアームの夫々の一端部を前記係合部から開放でき、前記２つのアームを閉塞方向へ回動させることができ、前記係合部を片手で握って操作するだけでアームを閉じさせて容易に衣類から取り出すことができる衣類用ハンガを実現することができる。
【００１７】
【発明の実施の形態】
以下、本発明をその実施の形態を示す図面に基づいて詳述する。図１は、本発明に係る衣類用ハンガの実施の形態を示す正面図である。図示する衣類用ハンガは、物干し竿，物干しロープなどに引っかけるための掛止部１、及び、ブラウス，シャツなどを懸吊するための一対のアーム４Ｒ，４Ｌを有し、前記掛止部１及びアーム４Ｒ，４Ｌの夫々は、２枚の平板が所定間隔を隔てて成る支持部材６における前記２枚の平板の間で支持されている。
【００１８】
前記支持部材６は、２枚の平板間に介設されて互いに所定間隔を隔てられた２つの枢軸７Ｒ，７Ｌを有し、前記アーム４Ｒ，４Ｌは、前記枢軸７Ｒ，７Ｌにより、夫々の基端部近傍が前記アーム４Ｒ，４Ｌの開閉方向へ回動可能に支持されている。前記アーム４Ｒ，４Ｌは、前記枢軸７Ｒ，７Ｌに支持される箇所から基端部５Ｒ，５Ｌ側が下方へ曲折されてあり、夫々の基端部５Ｒ，５Ｌの先端は更に反曲して爪形状を成している。
【００１９】
また、支持部材６には、前記枢軸７Ｒ，７Ｌの夫々の上方近傍から、前記支持部材６の略中心方向へ延設された２つの案内溝８Ｒ，８Ｌが設けられ、更に、前記略中心位置には、前記アーム４Ｒ，４Ｌが開放方向へ回動した場合に、前記基端部５Ｒ，５Ｌが係合すべく係合部９が設けられている。
【００２０】
前記係合部９は、下方へ開口する略Ｕ字形状をなしており、左右両外側へ夫々突出した突部を有している。従って、前記アーム４Ｒ，４Ｌが開放方向へ回動した場合、基端部５Ｒ，５Ｌは前記突部に夫々係合し、前記アーム４Ｒ，４Ｌの回動が係止される。このように図１では、アーム４Ｒ，４Ｌが開放されて係合部９に係合することにより回動が係止されている状態を示している。
【００２１】
一方、掛止部１は、２つの脚部材２Ｒ，２Ｌにおける夫々の上端が同軸的に軸支されて開閉可能になしてあり、前記アーム４Ｒ，４Ｌの開放を操作するための操作具２と、該操作具２の上端に設けられた掛止具３とから構成されている。前記操作具２の２つの脚部材２Ｒ，２Ｌは、内側に開口した溝形状の断面をなしており、また、前記操作具２の上部には、前記脚部材２Ｒ，２Ｌを開放方向へ付勢すべく弾性を有するスプリングＳが取り付けられている。
【００２２】
また、掛止部１は、前記操作具２を構成する脚部材２Ｒ，２Ｌの下端が、前記案内溝８Ｒ，８Ｌに沿って滑動可能に支持されている。
【００２３】
次に、上述した如くの構成をなす本実施の形態に係る衣類用ハンガの動作について図２及び図３に示す動作説明図を用いて説明する。図１にて示した如く、アーム４Ｒ，４Ｌが開放されている場合、アーム４Ｒ，４Ｌの夫々の基端部５Ｒ，５Ｌは係合部９に係合して係止されている。ここで、略Ｕ字形状をなす係合部９の２つの端部９Ｒ，９Ｌを、弾性力に抗って互いに接近させた（閉じ合わせた）場合、前記アーム４Ｒ，４Ｌの夫々の基端部５Ｒ，５Ｌは、係合部９が有する突部から解放される。従って、図２に示すように、アーム４Ｒ，４Ｌは夫々枢軸７Ｒ，７Ｌ回りに閉塞方向（図中の矢符で示す方向）へ回動して閉じ合わされる。
【００２４】
次に、図２に示した如くにアーム４Ｒ，４Ｌが閉じ合わされている状態で、操作具２の脚部材２Ｒ，２Ｌを、スプリングの弾性力に抗って閉じ合わせた場合、前記脚部材２Ｒ，２Ｌは支持部材６に設けられた案内溝８Ｒ，８Ｌに沿って夫々接近する方向へ滑動する。この際、前記脚部材２Ｒ，２Ｌは内側に開口する溝形状をなしているため、その底部にてアーム４Ｒ，４Ｌの基端部５Ｒ，５Ｌが押動される。
【００２５】
即ち、初めに枢軸７Ｒ，７Ｌ近傍に脚部材２Ｒ，２Ｌが位置している場合、アーム４Ｒ，４Ｌは閉じ合わされており、夫々の基端部５Ｒ，５Ｌは溝形状をなす脚部材２Ｒ，２Ｌ内に収納された状態となっている。この状態から前記脚部材２Ｒ，２Ｌを案内溝８Ｒ，８Ｌに沿って閉じ合わせるに従い、前記基端部５Ｒ，５Ｌは、脚部材２Ｒ，２Ｌの断面における底部により押動され、アーム４Ｒ，４Ｌは夫々枢軸７Ｒ，７Ｌを中心として開放方向（図中の矢符で示す方向）へ回動する。更に脚部材２Ｒ，２Ｌが案内溝８Ｒ，８Ｌに沿って閉じ合わされた場合、基端部５Ｒ，５Ｌは夫々、係合部９に設けられた左右両外側の突部に係合し、アーム４Ｒ，４Ｌは開放された状態で係止される。
【００２６】
このように、本実施の形態に係る衣類用ハンガは、係合部９の端部９Ｒ，９Ｌを閉じ合わせることにより、開放された状態で係止されたアーム４Ｒ，４Ｌは閉じ合わされ、また、操作具２における脚部材２Ｒ，２Ｌを閉じ合わせることにより、閉じ合わされたアーム４Ｒ，４Ｌが開放されて係止される。
【００２７】
従って例えば、アーム４Ｒ，４Ｌが閉じ合わされた状態の衣類用ハンガは容易に衣類の首もとから挿入することができ、また、衣類を片手で所持し、もう片手で衣類用ハンガの操作具２を握り、前記脚部材２Ｒ，２Ｌを閉じ合わせることによってアーム４Ｒ，４Ｌを開放させ係止させることができ、操作具２を片手で握る操作のみで衣類を懸吊することができる。
【００２８】
更に、衣類が懸吊されている状態にて、係合部９の端部９Ｒ，９Ｌを片手で握って閉じ合わせることにより、係止されていたアーム４Ｒ，４Ｌの基端部５Ｒ，５Ｌが係合部９の両突部から開放され、懸吊されていた衣類の自重による作用も手伝ってアーム４Ｒ，４Ｌは夫々閉塞方向へ回動して閉じ合わされるため、係合部９を片手で握る操作のみで衣類の首もとから衣類用ハンガを取り出すことができる。
【００２９】
【発明の効果】
第１発明に係る衣類用ハンガによれば、片手で握って操作具の２つの下端を接近させるだけで、これに従動して開放方向へ一対のアームを回動させ、係合部に前記一対のアームの夫々の基端部が係合して回動が係止されるため、衣類の首もとから両アームを挿入した後、片手での操作によってアームを開放させて前記衣類を容易に懸吊することが可能である衣類用ハンガを実現することができる。
【００３０】
第２発明に係る衣類用ハンガによれば、前記操作具の２つの下端を接近させる動作に対し、円滑であり確実に前記一対のアームを従動させて開放させることができる衣類用ハンガを実現することができる。
【００３１】
第３発明に係る衣類用ハンガによれば、開放方向へ回動した前記一対のアームの夫々の基端部を、前記係合部の突部に係合させて回動を係止することができ、更に、略Ｕ字形状をなす係合部の開口端を弾性力に抗って狭めることにより、前記一対のアームの夫々の基端部を前記係合部から開放でき、前記一対のアームを閉塞方向へ回動させることができ、前記係合部を片手で握って操作するだけでアームを閉じさせて容易に衣類から取り出すことができる衣類用ハンガを実現することができる。
【図面の簡単な説明】
【図１】本発明に係る衣類用ハンガの実施の形態を示す正面図である。
【図２】本実施の形態に係る衣類用ハンガの動作を説明するための動作説明図である。
【図３】本実施の形態に係る衣類用ハンガの動作を説明するための動作説明図である。
【符号の説明】
１  掛止部
２  操作具
２Ｒ，２Ｌ  脚部材
３  掛止具
４Ｒ，４Ｌ  アーム
５Ｒ，５Ｌ  基端部
６  支持部材
７Ｒ，７Ｌ  枢軸
８Ｒ，８Ｌ  案内溝
９  係合部
９Ｒ，９Ｌ  端部
【図１】
0003644018.tif 000002
【図２】
0003644018.tif 000003
【図３】
0003644018.tif 000004